(57)【特許請求の範囲】
【請求項１】
管壁内に一定のピッチでもって全長に亘り螺旋状に組み込んでいる補強芯線の一部を該管壁の内周面から突出させて断面凸円弧状の螺旋突条に形成していると共にこの螺旋突条を突設している管壁の内周面に一定厚みの防水層を層着してなる消防用ホースの端部を接続させる接続金具であって、対向端部をユニオンナットによって互いに直列状に連結した一対の短管形状の接続口からなり、これらの接続口の外周面に、上記消防用ホースの内周面に突設している断面凸円弧状の螺旋突条と同一断面形状の断面凹円弧状の螺旋溝を螺旋突条と同一ピッチでもって全長に亘り形成していることを特徴とする消防用ホースの接続金具。
【請求項２】
管壁内に一定のピッチでもって全長に亘り螺旋状に組み込んでいる補強芯線の一部を該管壁の内周面から突出させて断面凸円弧状の螺旋突条に形成していると共にこの螺旋突条を突設している管壁の内周面に一定厚みの防水層を層着してなる消防用ホースと、対向端部をユニオンナットによって互いに直列状に連結し、且つ、外周面に上記消防用ホースの内周面に突設している断面凸円弧状の螺旋突条と同一断面形状の断面凹円弧状の螺旋溝を螺旋突条と同一ピッチでもって全長に亘り形成してなる一対の短管形状の接続口を備えた接続金具との接続構造であって、この接続金具の両接続口の外周面に形成している上記断面凹円弧状の螺旋溝に上記消防用ホースの端部内周面に設けている上記断面凸円弧状の螺旋突条を螺合させていると共に、これらの消防用ホースの端部外周面に金属製リング部材を被嵌させて該リング部材を縮径方向に圧締めすることにより、消防用ホースを縮径方向に弾性変形させて補強芯線の内周部によって形成している上記断面凸円弧状の螺旋突条を接続口の外周面に形成している上記断面凹円弧状の螺旋溝に圧着させていると共に、隣接する上記螺旋突条間の谷部の底面を接続口における隣接する上記螺旋溝間の平坦な山部頂面に圧接させていることを特徴とする消防用ホースと接続金具との接続構造。
【発明の詳細な説明】
【０００１】
【発明の属する技術分野】
本発明は一定長さを有する消防用ホースを接続してホースを長尺にするための接続金具とその接続構造に関するものである。
【０００２】
【従来の技術】
火災発生時において、収納ケースから引き出して消火を行う消防用ホース10の構造は、図８、図９に示すように、引張強度の大きい複数本の糸の収束糸又は撚り糸11と、この収束糸又は撚り糸よりも大径のナイロン又は鋼線からなる補強芯線12とを横糸としてこれらの横糸を交互に一定のピッチと巻き径でもって全長に亘り螺旋状に巻回していると共にこれらの横糸に、周方向に互いに密接状態で引き揃えた多数本の縦糸13を織り込んで管壁を形成してなり、且つ、この管壁の内周面に合成樹脂よりなる一定厚みの防水層14を層着していると共に上記大径の補強芯線12の内周側の一部を管壁の内周面から突出させてその突出部により断面凸円弧状の螺旋突条12a を形成してなる構造としている。
【０００３】
そして、上記断面円形状の管壁の一構成要素として組み込んだ螺旋状に巻回している補強芯線12によって適度な弾性と保形性を維持し且つ湾曲可能なホースを形成しているものであるが、この消防用ホースは通常、一定の長さに切断されているために、広範囲の消火に供するには、２本以上の消防用ホース10、10を接続金具20によって順次、接続して長尺に形成する必要がある。
【０００４】
上記接続金具20としては、従来から、接続すべき消防用ホース10、10の端部を突き合わせ状に被嵌させる短管形状の接続口21、21を直列状に連結していると共にこれらの接続口21、21の外周面を、通常のニップルの接続口と同様に、垂直端面22と傾斜面23とからなる断面鋸刃状の円環状係止部24を複数個、連続形成してなる構造を有している。
【０００５】
【発明が解決しようとする課題】
しかしながら、このように構成している接続金具20の接続口21に上記消防用ホース10の端部を接続するには、接続口21の開口端に消防用ホース10の開口端を突き合わせて管軸方向に押圧することにより消防用ホース10の端部内周面を接続口21の開口端の外周面に被嵌させ、その状態からさらに管軸方向に圧入することによって行うものであるから、その接続作業に多大な労力を必要とするばかりでなく、円滑な接続が困難であって作業能率が低下すると共に正確な接続作業が行えない場合が生じるという問題点がある。
【０００６】
さらに、接続口21の外周面は垂直端面22と傾斜面23とを有する円環状係止部24が長さ方向に連続した断面鋸刃形状に形成されているので、消防用ホース10の端部内周面を被嵌させると、該端部内周面から突設している螺旋突条12a が円環状係止部24の傾斜面23に対して交差する方向に進行して図９に示すように、円環状係止部24の傾斜面23に密接する部分と該傾斜面23から浮き上がる部分とが発生し、消防用ホース10の端部内周面と接続口21の外周面との間に隙間25が生じて漏水が生じるという問題点があった。
【０００７】
本発明はこのような問題点に鑑みてなされたもので、その目的とするところは、消防用ホースの接続が円滑且つ正確に行えると共に優れた止水性を発揮し得る消防用ホースの接続金具とその接続構造を提供するにある。
【０００８】
【課題を解決するための手段】
上記目的を達成するために、本発明の消防用ホースの接続金具は、請求項１に記載したように、管壁内に一定のピッチでもって全長に亘り螺旋状に組み込んでいる補強芯線の一部を該管壁の内周面から突出させて断面凸円弧状の螺旋突条に形成していると共にこの螺旋突条を突設している管壁の内周面に一定厚みの防水層を層着してなる消防用ホースの端部を接続させる接続金具であって、対向端部をユニオンナットによって互いに直列状に連結した一対の短管形状の接続口からなり、これらの接続口の外周面に、上記消防用ホースの内周面に突設している断面凸円弧状の螺旋突条と同一断面形状の断面凹円弧状の螺旋溝を螺旋突条と同一ピッチでもって全長に亘り形成した構造としている。
【０００９】
請求項２に係る発明は、管壁内に一定のピッチでもって全長に亘り螺旋状に組み込んでいる補強芯線の一部を該管壁の内周面から突出させて断面凸円弧状の螺旋突条に形成していると共にこの螺旋突条を突設している管壁の内周面に一定厚みの防水層を層着してなる消防用ホースと、対向端部をユニオンナットによって互いに直列状に連結し、且つ、外周面に上記消防用ホースの内周面に突設している断面凸円弧状の螺旋突条と同一断面形状の断面凹円弧状の螺旋溝を螺旋突条と同一ピッチでもって全長に亘り形成してなる一対の短管形状の接続口を備えた接続金具との接続構造であって、この接続金具の両接続口の外周面に形成している上記断面凹円弧状の螺旋溝に上記消防用ホースの端部内周面に設けている上記断面凸円弧状の螺旋突条を螺合させていると共に、これらの消防用ホースの端部外周面に金属製リング部材を被嵌させて該リング部材を縮径方向に圧締めすることにより、消防用ホースを縮径方向に弾性変形させて補強芯線の内周部によって形成している上記断面凸円弧状の螺旋突条を接続口の外周面に形成している上記断面凹円弧状の螺旋溝に圧着させていると共に、隣接する上記螺旋突条間の谷部の底面を接続口における隣接する上記螺旋溝間の平坦な山部頂面に圧接させ構造としている。
【００１０】
【作用】
消防用ホースの開口端部に接続金具の接続口の開口端を突き合わせ、接続金具をその管軸回りに回転させると、接続口の外周面に形成している断面凹円弧状の螺旋溝が消防用ホースの内周面から突設している断面凸円弧状の螺旋突条に螺合しながら接続口が消防用ホースの端部内に進入し、接続口の全長に亘って該接続口の螺旋溝と消防用ホースの螺旋突条とが全面的に密接して優れた止水作用を発揮する接続が可能となる。この接続作業は、上記接続金具を回転させることなく消防用ホースをその管軸回りに回転させることによって行なってもよく、要するに、接続金具と消防用ホースとを螺旋突条と螺旋溝とが螺合する方向に相対的に回転させればよい。
【００１１】
上記接続金具は、その両接続口を分割した構造とし、一方の接続口の外周面にユニオンナットを係止させるフランジ部を突設しておくと共に他方の接続口の外周面に上記ユニオンナットを螺合させる螺子部を形成しておくことにより、接続金具の保管や取扱いが容易となるばかりでなく、両接続口に上述したように消防用ホースを別々に接続させたのち、これらの接続口の基端を突き合わせてユニオンナットを螺子部に螺合させることによって、接続金具を介して消防ホースを簡単に接続させた構造とすることができる。
【００１２】
請求項２に係る発明は、上記消防用ホースと接続金具との接続構造であって、接続金具の両接続口の外周螺旋溝に消防用ホースの端部内周面に設けている螺旋突条をそれぞれ螺合させていると共に、これらの消防用ホースの端部外周面に金属製リング部材を被嵌させて該リング部材を縮径方向に圧締めすることにより接続口の外周全面に消防用ホースの端部内周面を全面に亘り圧着させているので、螺旋溝と螺旋突条とが全面的に強固に密着していると共に接続口における螺旋溝間の山部頂面に消防用ホースの螺旋突条間の谷部が消防用ホースの管壁の圧縮変形によって隙間なく密着して止水性に優れた接続構造を形成している。
【００１３】
【発明の実施の形態】
次に、本発明の具体的な実施の形態を図面について説明すると、接続金具１は図１に示すように一定の内外径と長さを有する短管形状の接続口1A、1Bを一対、その管内を直列状に連通させた状態で互いに連結してなり、これらの接続口1A、1Bの外周面には後述する消防用ホース10の内周面に突設している断面凸円弧状の螺旋突条12a と同一断面形状の断面凹円弧状の螺旋溝2A、2Bを螺旋突条12a と同一ピッチでもってそれぞれ全長に亘り形成している。これらの螺旋溝2A、2Bは、左右いずれのねじれ方向に形成しておいてもよいが、図に示した螺旋溝2A、2Bは左方向にねじれた螺旋溝に形成している。なお、接続口1A、1Bにおける隣接する螺旋溝2A、2A間および2B、2B間の外周面、即ち、山部頂面2a、2bは同一径の平坦な面に形成されている。
【００１４】
さらに、一方の接続口1Aの基端外周面にはフランジ部３を周設していると共に外周面にユニオンナット４を管長方向に移動可能に被嵌させてあり、また、他方の接続口1Bの基端部外周面には一定高さのフランジ部５を周設していると共にこのフランジ部５から一方の接続口1Aに向かって短い円筒部６を突設してあり、この円筒部６の外周面に螺子部７を形成している。そして、上記両接続口1A、1Bの基端面間にパッキン８を介在させた状態で、上記ユニオンナット４を、その一端内周面に内径方向に突出している円環部4aが上記フランジ部３に係止するまで上記他方の接続口1B側の螺子部７に螺締させることにより、これらの接続口1A、1Bを互いにその内部を直状に連通させた状態で一体に連結して接続金具１を構成している。
【００１５】
このように構成した接続金具１によって接続される消防用ホース10の構造は、上記従来の技術の欄において説明した通りであるが、図２に基づいてさらに詳しく説明すると、引張強度の大きい合成樹脂モノフィラメントからなる糸条を複数本、撚り合わしてなる撚り糸11と、この撚り糸11よりも大径の鋼線からなる補強芯線12とを横糸とする一方、引張強度の大きい合成樹脂モノフィラメントからなる多数本の糸条を縦糸13として、上記撚り糸11と補強芯線12とを交互に互いに並列状態となるように一定の巻きピッチと巻き径でもって長さ方向に全長に亘って螺旋状に巻回していると共に上記多数本の縦糸13を円周方向に互いに接するように引き揃えてこれらの縦糸13を上記撚り糸11と補強芯線12とからなる横糸に織り込むことにより、消防用ホース10の管壁を形成してなるものである。
【００１６】
撚り糸11と補強芯線12とからなる横糸に対する上記縦糸13の織り込みは、全ての縦糸13を１本乃至３本の横糸に織り込んでいるものであるが、この際、隣接する縦糸13、13の横糸に対する織り込みは、例えば、一方の縦板13が一本の横糸に織り込んでいる部分においては他方の縦糸13は２本乃至３本の横糸に織り込んでいるという具合に、互いに長さ方向に織り込み形態をずらして織成している。
【００１７】
さらに、上記横糸として螺旋状に織り込んでいる撚り糸11と補強芯線12とは、その外周側をホースの外径が全長に亘って同一外径となるように巻回しており、従って、撚り糸11よりも大径の補強芯線12はその内周側の一部をホースの管壁内周面において内径方向に突出してあり、この突出部によって上記消防用ホース10における接続口1A、1Bの螺旋溝2A、2Bに螺合する断面凸円弧状の螺旋突条12a を形成している。そして、上記横糸と縦糸とによって形成されたホースの管壁の内周面に全長に亘ってエンジニアリングプラスチック等の合成樹脂からなる一定厚みの防水層14を層着することにより消防用ホース10を構成している。このように構成して消防用ホース10は、上記補強芯線12によって断面円形状に保持されていると共に適度な弾性と有し、且つ湾曲可能に形成されている。なお、上記撚り糸11に代えて組糸や収束糸を用いてもよく、また、補強芯線12として硬質のナイロンモノフィラメントを使用してもよい。
【００１８】
接続金具１の一方の接続口1Aに一定長さを有する上記消防用ホース10の端部を接続するには、この消防用ホース10の開口端部を接続口1Aの開口端に突き合わせて互いに対向した断面凸円弧状の螺旋突条12a と断面凹円弧状の螺旋溝2Aとの端部を螺合させたのち、接続金具１をその管軸を中心として周方向に回転させると、接続口1Aがその外周螺旋溝2Aを消防用ホース10の螺旋突条12a に螺合させながら消防用ホース10の端部内に進入していくので、該消防用ホース10の端面がユニオンナット４の円環部4aの背面に当接するまで螺合させれば、図３に示すように接続口1Aの全長に亘って消防用ホース10の端部を完全に被嵌した状態に接続させることができるものである。
【００１９】
同様に、他方の接続口1Bの螺旋溝2Bに対しても一定長さを有する別な消防用ホース10の端部内周面の螺旋突条12a を接続口1Bの全長に亘って螺合させることにより接続金具１を介して２本の消防用ホース10、10を接続し得るものである。この際、接続金具１の両接続口1A、1Bを分離させた状態にしてその各々に消防用ホース10、10を接続させたのち、両接続口1A、1Bをユニオンナット４を介して連結し、該ユニオンナット４の螺進分だけ一方の消防用ホース10を接続口1Aに螺進させることにより両消防用ホース10、10を接続してもよい。なお、接続口1A、1Bに対する消防用ホース10、10の接続作業は、接続金具１を回転させることなく消防用ホース10をその管軸回りに回転させることによって行なってもよく、要するに、接続金具１と消防用ホース10とを螺旋溝と螺旋突条とが螺合する方向に相対的に回転させればよい。
【００２０】
図４、図５は、接続金具１の両接続口1A、1Bに上記消防用ホース10、10の端部を接続させた構造を示すもので、両接続口1A、1Bの外周面に形成している螺旋溝2A、2Bに全長に亘って消防用ホース10、10の端部内周面に形成している上記螺旋突条12a 、12a が螺合していると共に、接続口1A、1Bを被覆したこれらの消防用ホース10、10の端部外周面に、長さが接続口1A、1Bの長さに略等しい真鍮等の金属製リング部材９、９を被嵌してこのリング部材９、９を図６、図７に示すように縮径方向に圧締めすることによりその内周面を消防用ホース10、10の外周面に圧着させて消防用ホース10、10を縮径方向に弾性変形させ、補強芯線12の内周部によって形成している上記螺旋突条12a 、12a を接続口1A、1Bの外周面に形成している上記螺旋溝2A、2Bに強固に圧着、螺合させている。
【００２１】
さらに、リング部材９、９の圧締めによる消防用ホース10、10の縮径方向の弾性変形により、隣接する螺旋突条12a 、12a 間の谷部12b の底面が一方の接続口1Aにおける隣接する螺旋溝2A、2A間の平坦な山部頂面2aと他方の接続口1Bにおける螺旋溝2B、2B間の平坦な頂面2bとにそれぞれ圧接して上記谷部12b が平坦な面に弾性変形し、従って、接続口1A、1Bの外周面と消防用ホース10、10の端部内周面とが全長に亘って全面的に密着して確実な止水機能を発揮し、消防用ホース10内を流動する消火水が接続口1A、1Bと消防用ホース10、10の端部との間から外部に漏出する虞れのない接続構造を構成しているものである。
【００２２】
【発明の効果】
以上のように本発明の請求項１に係る消防用ホースの接続金具によれば、接続金具は互いに直列状に連結した一対の短管形状の接続口からなり、これらの接続口の外周面に、上記消防用ホースの内周面に突設している断面凸円弧状の螺旋突条と螺合する断面凹円弧状の螺旋溝を全長に亘り形成しているので、消防用ホースの開口端部に接続金具の接続口の開口端を突き合わせたのち、接続金具を消防用ホースに対して相対的にその管軸回りに回転させることにより、接続口の外周面に形成している断面凹円弧状の螺旋溝を消防用ホースの内周面から突設している断面凸円弧状の螺旋突条に螺合させながら接続口を消防用ホースの端部内に円滑に進入させることができて接続作業が簡単且つ正確に行えると共に、接続口の全長に亘って該接続口の断面凹円弧状の螺旋溝と消防用ホースの断面凸円弧状の螺旋突条とが全面的に密接して優れた止水作用を発揮する接続が可能となるものである。
【００２３】
また、請求項２に係る発明は、管壁内に一定のピッチでもって全長に亘り螺旋状に組み込んでいる補強芯線の一部を該管壁の内周面から突出させて断面凸円弧状の螺旋突条に形成していると共にこの螺旋突条を突設している管壁の内周面に一定厚みの防水層を層着してなる上記消防用ホースと、対向端部をユニオンナットによって互いに直列状に連結し、且つ、外周面に上記消防用ホースの内周面に突設している断面凸円弧状の螺旋突条と同一断面形状の断面凹円弧状の螺旋溝を螺旋突条と同一ピッチでもって全長に亘り形成してなる一対の短管形状の接続口を備えた上記接続金具との接続構造であって、この接続金具の両接続口の外周面に形成している断面凹円弧状の螺旋溝に消防用ホースの端部内周面に設けている断面凸円弧状の螺旋突条を螺合させていると共に、これらの消防用ホースの端部外周面に金属製リング部材を被嵌させて該リング部材を縮径方向に圧締めすることにより接続口の外周全面に消防用ホースの端部内周面を全面に亘り圧着させているので、上記断面凹円弧状の螺旋溝と断面凸円弧状の螺旋突条とが全面的に強固に密着していると共に、接続口における断面凹円弧状の螺旋溝間の山部頂面に消防用ホースの断面凸円弧状の螺旋突条間の谷部が消防用ホースの管壁の圧縮変形によって圧着し、従って、接続口の外周面と消防用ホースの端部内周面とが全長に亘って隙間なく全面的に密着して止水性に優れた接続構造を形成することができるものである。
【図面の簡単な説明】
【図１】  接続金具の上半部を断面した側面図。
【図２】  消防用ホースの一部の縦断側面図。
【図３】  接続金具に消防用ホースを螺合させた状態の縦断側面図。
【図４】  接続金具に消防用ホースを接続させた状態の縦断側面図。
【図５】  リング部材を圧締めする前の接続構造を示す一部の拡大縦断側面図。
【図６】  リング部材を圧締めした状態の簡略縦断正面図。
【図７】  その一部の拡大縦断側面図。
【図８】  従来例を示す縦断側面図。
【図９】  その一部の拡大縦断側面図。
【符号の説明】
１  接続金具
1A、1B  接続口
2A、2B  螺旋溝
４  ユニオンナット
10  消防用ホース
12  補強芯線
12a   螺旋突条
【図１】
0004422850.tif 000002
【図２】
0004422850.tif 000003
【図３】
0004422850.tif 000004
【図４】
0004422850.tif 000005
【図５】
0004422850.tif 000006
【図６】
0004422850.tif 000007
【図７】
0004422850.tif 000008
【図８】
0004422850.tif 000009
【図９】
0004422850.tif 000010